(57)【要約】【課題】設定の労力を低減した信号処理装置を実現する。【解決手段】バス接続された外部装置１０から入力された信号を処理する信号処理部２２を備える信号処理装置２０は、情報を記憶する記憶部３０と、外部装置１０を識別する識別部２６と、信号処理部２２の信号処理を設定する設定部２４と、識別部２６によって識別された識別情報および設定部２４によって設定された設定情報を対応付けて記憶部３０に書き込む書込部３４と、識別情報に対応する設定情報を記憶部３０から読み出す読出部３２とを備え、設定部２４は、読出部３２が読み出した設定情報に基づいて信号処理を設定する。【選択図】図１
2007104324.tif 000002
【特許請求の範囲】
【請求項１】
バス接続された外部装置から入力された信号を処理する信号処理手段を備える信号処理装置であって、
情報を記憶する記憶手段と、
前記信号の送信元の前記外部装置を識別する識別手段と、
前記信号処理手段の信号処理を設定する設定手段と、
前記識別手段によって識別された外部装置の識別情報および前記設定手段によって設定された設定情報を対応付けて前記記憶手段に書き込む書込手段と、
前記識別情報に対応する前記設定情報を前記記憶手段から読み出す読出手段とを備えており、
前記設定手段は、前記読出手段が読み出した設定情報に基づいて前記信号処理を設定することを特徴とする信号処理装置。
【請求項２】
前記外部装置から入力された信号は、音声信号、映像信号、およびデータ信号のうちの少なくとも１つであることを特徴とする請求項１に記載の信号処理装置。
【請求項３】
前記識別手段によって識別された識別情報に基づいて、前記外部装置とコネクションを確立する通信手段をさらに備えることを特徴とする請求項１に記載の信号処理装置。
【請求項４】
前記通信手段は、前記外部装置へコネクション要求を送信してコネクションを確立することを特徴とする請求項３に記載の信号処理装置。
【請求項５】
前記通信手段は、前記外部装置からのコネクション要求に応じてコネクションを確立することを特徴とする請求項３に記載の信号処理装置。
【請求項６】
前記通信手段は、ＩＥＥＥ１３９４に従って前記外部装置とバス接続することを特徴とする請求項３に記載の信号処理装置。
【請求項７】
前記書込手段は、前記バス接続をリセットする場合、または、前記通信手段が前記コネクションを開放する場合に、前記識別情報および前記設定情報を対応付けて前記記憶手段に書き込むことを特徴とする請求項３に記載の信号処理装置。
【請求項８】
前記信号処理の設定を変更するための操作手段をさらに備えることを特徴とする請求項１に記載の信号処理装置。
【請求項９】
請求項１乃至８のいずれか１項に記載の信号処理装置と、前記信号処理装置に信号を出力する外部装置とを備える信号処理システム。
【請求項１０】
前記外部装置は、前記信号処理の設定を変更するための操作信号を前記設定手段に送信する操作手段をさらに備えることを特徴とする請求項６に記載の信号処理システム。
【請求項１１】
バス接続された外部装置から入力された信号を処理する信号処理装置における信号処理方法であって、
前記信号処理装置は、前記信号の送信元の前記外部装置を識別し、前記信号に対する信号処理を設定し、識別された外部装置の識別情報および設定された信号処理の設定情報を対応付けて記憶手段に記憶し、前記外部装置が再び信号の出力を行う場合に送信元の外部装置を識別し、前記外部装置に対応付けて記憶した前記設定情報を記憶手段から読み出し、読み出した設定情報に基づいて信号処理を行うことを特徴とする信号処理方法。
【請求項１２】
バス接続された外部装置から入力された信号を処理する信号処理装置における信号処理方法であって、
前記信号処理装置は、前記バス接続された外部装置を識別するステップと、
前記外部装置とコネクションを確立し、前記入力された信号に対する信号処理を設定するステップと、
前記バス接続をリセットする場合、または、前記コネクションを開放する場合、識別された前記外部装置の識別情報および設定された信号処理の設定情報を対応付けて記憶手段に記憶するステップと、
前記外部装置と再びコネクションを確立した場合、コネクションを確立した外部装置を識別し、前記外部装置に対応付けて記憶した前記設定情報を記憶手段から読み出し、読み出した設定情報に基づいて信号処理を行うステップとを含むことを特徴とする信号処理方法。
【請求項１３】
請求項１乃至８のいずれか１項に記載の信号処理装置を動作させるための信号処理プログラムであって、コンピュータを前記各手段として機能させるための信号処理プログラム。
【請求項１４】
請求項１０に記載の信号処理プログラムが記録されたコンピュータ読取り可能な記録媒体。
【発明の詳細な説明】
【技術分野】
【０００１】
本発明は、入力信号に信号処理を行う信号処理装置、信号処理システム、信号処理方法、信号処理プログラム、および該プログラムを記録した記録媒体に関するものである。特に、ＩＥＥＥ（the Institute of Electrical and Electorics Engineers）１３９４方式を用いてバス接続された外部装置から入力された音声・映像信号、および／またはデータ信号を信号処理して出力する信号処理装置に関するものである。
【背景技術】
【０００２】
従来、ＩＥＥＥ１３９４方式のシリアルデータバスを用いて接続し、相互に信号を伝送するオーディオ機器およびビデオ機器（以下、ＡＶ機器と称する。）が広く使われている。
【０００３】
上記のようなＡＶ機器では、ＣＤ（Compact Disk）・ＭＤ（Mini Disk）・ＶＴＲ（Video Tape Recorder）・ＤＶＤ（Digital Video Disk）・ＨＤＲ（Hard Disk Recorder）などの複数の再生機器と、アンプやＡＶ（Audio Visual）レシーバなどの中継機器と、スピーカやディスプレイ・プロジェクタなどの出力機器とがＩＥＥＥ１３９４ケーブルを用いて接続され、一連のデータバスを形成するシステムを構成する。
【０００４】
バス接続されている各機器がお互いに制御しあいデータの送受信を行う通信状態を相互通信接続状態と呼ぶものとする。以下、相互通信接続状態でバス接続されているシステムについて説明する。
【０００５】
上記システムは、図２に示すように、１つ以上の外部装置１０がＩＥＥＥ１３９４ケーブルを用いてＩＥＥＥ１３９４バス６０に接続される。同様に、信号処理装置２００がＩＥＥＥ１３９４ケーブルを用いてＩＥＥＥ１３９４バス６０にバス接続され、ディスプレイ５２やスピーカ５４などを含む出力装置５０を介して画像および／または音声が出力される。
【０００６】
ＩＥＥＥ１３９４バス６０を用いて接続した複数台の機器間のコネクションを張る場合に、ネットワーク上に存在する接続可能な機器の候補を判断し、接続可能な機器の候補が１台だけ存在した場合に、該当する候補機器とコントロール機器との間で、自動的に所定のコネクションを張る方法が知られている（例えば、特許文献１参照）。
【０００７】
また、デジタル放送対応テレビジョン受信機において、各ユーザの視聴状況を把握し必要に応じた視聴制限を行い、又、受信時の画質・音質設定の自動化や同一時間帯における複数予約存在時の受信番組選択を容易にする方法が知られている（例えば、特許文献２参照）。
【特許文献１】特開２００４−２５４２４５号公報（２００４年９月９日公開）
【特許文献２】特開２００１−２０３９５１号公報（２００１年７月２７日公開）
【発明の開示】
【発明が解決しようとする課題】
【０００８】
しかしながら、上記従来の構成では、あるＡＶ機器を接続して、画像信号や音声信号などの信号処理を設定して再生した後に、別のＡＶ機器を接続して再生する場合、それぞれのＡＶ機器が持つ特性の違いにより、画質や音質などに対する設定が異なるという問題を生じる。
【０００９】
上述のような画像信号や音声信号などを信号処理する設定は、再生用機器、増幅・中継用機器、および出力用機器といった各種ＡＶ機器の組み合わせや、個人の趣向や、その他の環境・条件などによって決定される。
【００１０】
しかしながら、接続する外部装置が変更された場合、その都度信号処理を手動で再設定する必要があり、多大な労力を要する。
【００１１】
本発明は、上記の問題点に鑑みてなされたものであり、その目的は、複数の外部装置を用いて構成された信号処理システムにおいて、画像信号や音声信号を信号処理し、出力する信号処理の設定の労力を軽減した信号処理装置などを実現することにある。
【課題を解決するための手段】
【００１２】
本発明の信号処理装置は、上記課題を解決するために、バス接続された外部装置から入力された信号を処理する信号処理手段を備える信号処理装置であって、情報を記憶する記憶手段と、前記信号の送信元の前記外部装置を識別する識別手段と、前記信号処理手段の信号処理を設定する設定手段と、前記識別手段によって識別された外部装置の識別情報および前記設定手段によって設定された設定情報を対応付けて前記記憶手段に書き込む書込手段と、前記識別情報に対応する前記設定情報を前記記憶手段から読み出す読出手段とを備えており、前記設定手段は、前記読出手段が読み出した設定情報に基づいて信号処理を設定することを特徴としている。
【００１３】
上記の構成によれば、信号を出力した外部装置および対応する信号処理の設定を記憶しているので、以前設定した外部装置から信号が入力される場合、該外部装置を識別し、対応する設定を記憶部から呼び出し、以前の設定と同じ信号処理を処理手段に適用することができるので、設定の労力を低減した信号処理装置を実現することができるという効果を奏する。
【００１４】
本発明の信号処理装置では、前記外部装置から入力された信号は、音声信号、映像信号、およびデータ信号のうち少なくとも１つであってもよい。
【００１５】
また、データ信号は、外部装置を識別するための識別信号およびバス上の制御信号等であってもよいし、操作パネルからの入力を伝えるための操作信号であってもよい。
【００１６】
本発明の信号処理装置では、前記識別手段によって識別された識別情報に基づいて、前記外部装置とコネクションを確立する通信手段をさらに備えることを特徴としている。
【００１７】
上記構成によれば、識別手段によって識別された情報をもとにコネクションを行うことができるので、コネクションの確立と同時に外部装置に対応する設定情報を適用することができるという効果を奏する。
【００１８】
本発明の信号処理装置では、前記通信手段は、前記外部装置へコネクション要求を送信してコネクションを確立することを特徴としている。
【００１９】
上記構成によれば、信号処理装置から外部装置へコネクションを要求するので、ユーザは任意のタイミングで、既に接続されている所望の外部装置から任意のものを選択し、選択した外部機器に対応する設定を用いて信号処理を加えることができるという効果を奏する。
【００２０】
本発明の信号処理装置では、前記通信手段は、前記外部装置からのコネクション要求に応じてコネクションを確立することを特徴としている。
【００２１】
上記構成によれば、外部装置から信号処理装置へコネクションを要求するので、任意のタイミングで出力元となる外部装置を外部装置側から決定し、対応する設定を用いて信号処理を加えることができるという効果を奏する。
【００２２】
本発明の信号処理装置では、ＩＥＥＥ１３９４方式を用いて前記外部装置とバス接続することが好ましい。
【００２３】
本発明の信号処理装置では、前記書込手段は、前記バス接続をリセットする場合、または、前記通信手段が前記コネクションを開放する場合に、前記識別情報および前記設定情報を対応付けて前記記憶手段に書き込むことを特徴としている。
【００２４】
上記構成によれば、バスリセットの際に、または、コネクション開放の際に識別情報および設定情報を書き込むことによって、次回のコネクションの際に最新の設定情報を用いることができる。これにより、複数の外部装置を切り替えて信号処理をする場合でも、最新の設定を適用することができる。
【００２５】
なお、上記のコネクションを開放する場合としては、具体的には、コネクション開放要求を送受信した場合、エラーによりコネクションが維持できなくなった場合、電源切断要求された場合などが考えられる。
【００２６】
本発明の信号処理装置では、前記信号処理の設定を変更するための操作信号を前記設定手段に送信する操作手段をさらに備えることが好ましい。
【００２７】
上記構成によれば、信号処理装置が設定するための操作手段を備えていることにより、信号処理装置上で設定する操作や制御操作の入力を行うことができるというさらなる効果を奏する。
【００２８】
また、上記構成の信号処理装置と、前記信号処理装置に信号を出力する外部装置とを備える信号処理システムであっても、上述と同様の作用効果を奏することができる。
【００２９】
上記信号処理システムでは、前記外部装置は、前記信号処理の設定を変更するための操作信号を前記設定手段に送信する操作手段をさらに備えることが好ましい。
【００３０】
上記構成によれば、外部装置上で再生や設定などの操作・制御を行うことができるという効果を奏する。
【００３１】
なお、上記の各種制御入力は、ＡＶ／Ｃコマンド（AV/C Digital Interface Command Set）を用いてもよいし、その他のネットワークで接続されたＡＶ機器をリモートで制御するためのコマンドセットであってもよい。
【００３２】
本発明の信号処理方法は、バス接続された外部装置から入力された信号を処理する信号処理手段を備える信号処理装置における信号処理方法であって、前記信号処理装置は、前記送信元の前記外部装置を識別し、前記入力された信号に対する信号処理を設定し、識別された外部装置の識別情報および設定された信号処理の設定情報を対応付けて記憶し、前記外部装置が再び信号の出力を行う場合に送信元の外部装置を識別し、前記外部装置に対応付けて記憶した前記設定情報を記憶手段から読み出し、読み出した設定情報に基づいて信号処理を行うことを特徴としている。
【００３３】
上記の方法によれば、信号を出力した外部装置および対応する信号処理の設定を記憶しているので、以前設定した外部装置から信号が入力される場合、該外部装置を識別し、対応する設定を記憶部から呼び出し、以前の設定と同じ信号処理を信号処理手段に適用することができるので、再設定の労力を低減した信号処理装置を実現することができるという効果を奏する。
【００３４】
本発明の信号処理方法は、バス接続された外部装置から入力された信号を処理する信号処理装置における信号処理方法であって、前記信号処理装置は、前記バス接続された外部装置を識別するステップと、前記外部装置とコネクションを確立し、前記入力された信号に対する信号処理を設定するステップと、前記バス接続をリセットする場合、または、前記コネクションを開放する場合、識別された前記外部装置の識別情報および設定された信号処理の設定情報を対応付けて記憶手段に記憶するステップと、前記外部装置と再びコネクションを確立した場合、コネクションを確立した外部装置を識別し、前記外部装置に対応付けて記憶した前記設定情報を記憶手段から読み出し、読み出した設定情報に基づいて信号処理を行うステップとを含むことを特徴としている。
【００３５】
上記の方法によれば、識別手段によって識別された情報をもとにコネクションを行うことができるので、コネクションの確立と同時に外部装置に対応する設定情報を適用することができるという効果を奏する。
【００３６】
なお、上記信号処理装置における信号処理を、信号をデータとしてコンピュータに入力しデータ処理することによってコンピュータ上で実行させることができる。さらに、上記信号処理プログラムをコンピュータ読取り可能な記録媒体に記憶させることにより、任意のコンピュータ上で上記信号処理プログラムを実行させることができる。
【発明の効果】
【００３７】
本発明の信号処理装置は、以上のように、外部装置を識別し、識別した外部装置の識別情報と信号処理の設定とを対応付けて記憶し、記憶した設定情報に基づいて信号処理の設定を適用することができるので、同じ外部装置を用いる場合に再設定の労力を低減することができるという効果を奏する。
【発明を実施するための最良の形態】
【００３８】
〔実施形態１〕
本発明の一実施形態について図１〜図３に基づいて説明すると以下の通りである。
【００３９】
まず、本実施形態の信号処理システムについて、図２を参照して説明する。図２は、本実施形態の信号処理システム１の構成を示す概略図である。
【００４０】
本実施形態の信号処理システム１は、複数の外部装置１０、信号処理装置２０、出力装置５０、およびＩＥＥＥ１３９４バス６０から構成されている。
【００４１】
外部装置１０および信号処理装置２０は、ＩＥＥＥ１３９４ケーブルなどを用いてＩＥＥＥ１３９４バス６０にバス接続されている。信号処理装置２０は、ＩＥＥＥ１３９４バス６０を介して外部装置１０から出力される出力信号を受信し、出力信号から音声・映像信号を取り出し、信号処理を加えて、出力装置５０に送信する。
【００４２】
出力装置５０は、信号処理装置２０に接続されている。出力装置５０には、例えば、動画を表示するためのディスプレイ５２や、音声を出力するためのスピーカ５４などが含まれている。出力装置５０は、信号処理装置装置２０に信号処理された音声・映像信号を受信し、ディスプレイ５２および／またはスピーカ５４から映像および／または音声を出力する。
【００４３】
なお、本実施形態では、信号処理装置２０に出力装置５０が接続され、出力装置５０が信号処理装置２０から映像・音声信号を受信して出力する構成としたが、これに限るものではない。ＩＥＥＥ１３９４バス６０に出力装置５０を直接バス接続する構成であってもよい。
【００４４】
その場合、外部装置１０から出力された信号は、ＩＥＥＥ１３９４バス６０を通して信号処理装置２０へ送信され、信号処理装置２０で加工され、再びＩＥＥＥ１３９４バス６０を通して出力装置５０、ディスプレイ５２、および／またはスピーカ５４などに送信され、出力される。
【００４５】
外部装置１０と信号処理装置２０とがＩＥＥＥ１３９４方式を用いてバス接続されていることにより、バス接続されている各機器がお互いに制御しあいデータの送受信を行う相互通信接続状態を実現することができる。
【００４６】
次に、本実施形態で用いられる外部装置および信号処理装置の要部構成について述べる。図１は、本実施形態における外部装置１０およびバス接続された信号処理装置２０の概略構成を示したブロック図である。
【００４７】
本実施形態では、外部装置１０は、ＩＥＥＥ１３９４方式を用いて信号処置装置２０にバス接続され、画像、映像、データ、およびその他の信号を出力する。外部装置１０は、操作部１２、再生部１４、処理部１６、および通信部１８を含んでいる。
【００４８】
信号処理装置２０は、ＩＥＥＥ１３９４バス６０にバス接続され、外部装置１０から入力された信号に処理を加えて出力するためのもので、通信部２１、処理部２２、制御部２３、設定部２４、操作部２５、識別部２６、記憶部３０、読出部３２、書込部３４、および出力部４０を含んでいる。
【００４９】
最初に、外部装置１０の各部の構成について説明する。
【００５０】
操作部１２は、例えば、操作パネルやリモートコントロール端末であり、信号処理装置２０上の処理部２２に信号処理の設定を入力するためのものである。操作部１２は、信号処理装置２０上の設定部２４に操作信号を出力する。上記操作信号は、信号処理装置２０の各部を制御するための信号を含んでも良い。なお、本実施形態では、操作部１２は、外部装置１０上に設置したが、信号処理装置２０上に設置してもよい。
【００５１】
操作部１２が外部装置１０上に設置されている構成であれば、信号処理装置２０に接続された外部装置１０の操作パネルなどを用いて、外部装置１０上で再生や設定などの操作・制御を行うことができる。
【００５２】
再生部１４は、例えば、ＣＤ・ＭＤ・ＶＴＲ・ＤＶＤ・ＨＤＲなどの光ディスク外部装置や、レコードやカセットテープ・ＤＡＴなどのプレイヤーや、ＡＭ・ＦＭ・ＢＳ・ＣＳチューナなどといった受信装置などのＡＶ機器であり、音声・映像信号を含む出力信号を出力するためのものである。本実施形態では、出力信号に識別信号、操作信号を含んでいるものとする。
【００５３】
処理部１６は、再生された信号を処理し、処理装置２０へ送信する形式、例えば非同期通信や同期通信に適したフォーマットや、通信障害またはデータ損失が少ないフォーマットなどに変更する。
【００５４】
通信部１８は、信号処理装置２０内の通信部２１と通信を確立し、処理部１６によって処理された信号を出力信号として送信する。
【００５５】
次に、信号処理装置２０の各部の構成について説明する。
【００５６】
通信部２１は、外部装置１０から送信された出力信号を受信するためのものである。また、通信部２１は、外部装置１０および処理装置２０で相互に通信するためコマンド等の情報も送受信する。通信部２１は、外部装置１０からの出力信号を受信する。制御部２３は、受信した出力信号を分離し、処理部２２には音声・映像信号を、設定部２４には操作信号を、識別部２２には識別信号を送信する。制御部２３は、また、操作部２５による操作を受け付け、操作信号として設定部２４へ操作内容を送信する。
【００５７】
通信部２１は、外部装置１０とコネクションを確立させることで、上記の出力信号、音声・映像信号および操作信号を含む出力信号の受信を開始する。通信部２１は、外部装置１０がＩＥＥＥ１３９４バスに接続された際に、または、バスリセットが行われた場合に外部装置１０の識別情報を受信する。
【００５８】
受信した識別信号は、識別部２６に送信され、送信元の外部装置１０の特定に用いる。なお、上記識別情報は、機種ＩＤ、メーカー番号、モデル名、再生信号、または、その他の識別子であってもよい。
【００５９】
外部装置１０とのコネクションが確立後、通信部２１は、同期または非同期で音声・映像信号および操作信号を受信する。リアルタイム伝送用の音声・映像信号には、同期通信であるアイソクロナス通信を用いることが好ましい。静止画や制御コマンドなどの非同期データには非同期通信であるアシンクロナス通信を用いることが好ましい。アイソクロナス通信およびアシンクロナス通信を混在して通信を行ってもよい。
【００６０】
通信部２１によって受信された出力信号は、通信部２１によって音声・映像信号、操作信号、および識別信号に分離され、処理部２２、設定部２４、および識別部２６に送信される。なお、通信部２１によって受信された出力信号を分離せずに、処理部２２、設定部２４、および識別部２６が出力信号をそれぞれ受け取り、必要な信号を分離する構成であってもよい。
【００６１】
なお、コネクションには、ＩＥＣ６１８８３で規定されるＡＶ信号コネクション管理の取り決めを用いても良い。操作信号には、ＩＥＣ６１８８３−１プロトコルやＡＶ／Ｃコマンドなどを用いても良い。外部装置１０と信号処理装置２０とのコネクションを確立するためのコネクション要求は、外部装置１０から送信してもよいし、信号処理装置２０から送信してもよい。
【００６２】
処理部２２は、入力された音声・映像信号に信号処理を加えて出力するためのものである。上記の信号処理は、例えば、音声信号に対する処理では、バス、トレブル、スペアナといった周波数毎の音量設定の変更や、複数チャンネルでの位相、遅延、マトリクス、サラウンドなどのパラメータの変更である。画像信号に対する処理では、例えば、コントラスト、画質、色の濃さ、色相、色彩といった画質に変更を加えるものである。
【００６３】
処理部２２は、設定部２４の指示を基に入力された音声・映像信号に信号処理を加え、出力部４０へ出力する。また、上記音声・映像信号に加えた信号処理の設定情報を書込部３４へ通知し、上記識別情報と対応付けて記憶部３０に記憶させる。
【００６４】
設定部２４は、外部装置１０上の操作部１２によって入力された操作信号に基づいて処理部２２で行う処理方法の設定を指示するためのものである。操作信号は、外部装置１０から信号処理装置２０に伝えられる。また、設定部２４は、読出部３２によって記憶部３０から読み出された設定情報を基に、処理部２２で音声・映像信号に加える信号処理の設定を行う。
【００６５】
識別部２６は、信号処理装置２０に接続された外部装置１０を識別するためのものである。識別部２６は、外部装置１０から出力された信号から識別信号を取り出し、外部装置１０の識別を行う。識別した識別情報は、読出部３２および書込部３４に送信する。
【００６６】
記憶部３０は、識別部２６で識別された識別情報および処理部２２で音声・映像信号の処理に用いた処理方法の設定情報を対応付けて記憶するためのものである。読出部３２は、識別部２６からの識別情報に基づいて、記憶部３０内から対応する設定情報を読み出す。書込部３４は、識別部２６からの識別情報と処理部２２からの設定情報とを対応付けて、記憶部３０へ書き込む。
【００６７】
出力部４０は、信号処理を行った信号を出力するためのもので、スピーカやディスプレイなどの外部出力デバイスに接続するための出力端子である。または、出力部４０は、例えば、スピーカやディスプレイなどの出力デバイスであってもよい。
【００６８】
以上のように、本実施形態の信号処理装置２０は、以前設定した外部装置１０をから信号が入力される場合、該外部装置１０を識別し、対応する設定を記憶部３０から呼び出し、以前の設定と同じ信号処理を処理部２２に適用することができるので、設定の労力を低減した信号処理装置２０を実現することができる。
【００６９】
次に、本実施形態の設定方法および再生方法について、図３に基づいて説明する。図３は、本実施形態における信号処理システムの処理の流れを示したフロー図である。
【００７０】
Ｓ１０１において、まず、外部装置１０がＩＥＥＥ１３９４バス６０にバス接続される。このとき、外部装置１０の識別情報がバス全体に送信される。信号処理装置２０の通信部２１は、接続された外部装置１０の識別情報を受信し、識別部２６に送信する。
【００７１】
Ｓ１０２において、接続された外部装置１０の識別情報がバス上のアドレスおよびノードを管理するバスマネージャによって取得される。バスマネージャは、バスに接続されたノードであるいずれかの外部装置１０または信号処理装置２０が役割を負う。
【００７２】
ＩＥＥＥ１３９４では、ノードの抜き差しによってバスリセットが起こり、バス構成がダイナミックに変更される。バスリセットが起きた際に、バス上のアドレスおよびノード機能の割り当てが自動的に決定され、プラグ＆プレイの実現を可能にしている。
【００７３】
Ｓ１０３において、信号処理装置２０および外部装置１０はコネクションを開始し、信号処理装置２０はコネクションの確立によって、信号を出力する出力元の外部装置１０を信号出力する装置として特定する。
【００７４】
Ｓ１０４において、設定部２４は、特定された外部装置１０に対応するの設定情報が記憶部３０に記録されているか調べる。記録されている場合（Ｓ１０４でＹＥＳ）、処理はＳ１０５に進む。記録されていない場合（Ｓ１０４でＮＯ）、処理はＳ１０６へ進む。
【００７５】
Ｓ１０５において、特定された外部装置１０に対応する設定情報が記憶部３０に記憶されている場合（Ｓ１０４でＹＥＳ）、設定情報を処理部２２に適用し、処理はＳ１０７に進む。
【００７６】
Ｓ１０６において、出力元として特定された外部装置１０に対応する識別情報および設定情報が存在しなかった場合（Ｓ１０４でＮＯ）、設定部２４は、所定のデフォルト設定を処理部２２に適用し、処理はＳ１０７に進む。
【００７７】
Ｓ１０７において、処理部２２は、適用した設定を用いて信号処理を行い、出力部４０へ信号を出力する。
【００７８】
Ｓ１０８において、外部装置１０からの信号出力が停止し、信号処理装置２０は、出力元の外部装置１０および信号処理装置２０のコネクションを開放し、終了する処理を行う。
【００７９】
Ｓ１０９において、コネクションの終了の際に、コネクション開始から終了の間に処理部２２の信号処理の設定を変更したか確認する。設定を変更した場合（Ｓ１０９でＹＥＳ）、処理はＳ１１０へ進む。設定を変更しなかった場合（Ｓ１０９でＮＯ）、処理はＳ１１へ進む。
【００８０】
Ｓ１１０において、書込部３４は、外部装置１０の識別情報と処理部２２の設定情報とを対応付けて、記憶部３０に記憶し、処理はＳ１１１へ進む。
【００８１】
Ｓ１１１において、そのまま続けて同じ外部装置１０コネクションを確立する、または、別の外部装置１０にコネクションするかを判断する。再度コネクションする場合（Ｓ１１１でＹＥＳ）は、処理はＳ１０３に進み、上記の処理を繰り返す。
【００８２】
続けてコネクションを行わない場合（Ｓ１１１でＮＯ）は、設定処理を終了する。
【００８３】
以上のように、いずれかの外部装置１０から出力信号が信号処理装置２０に入力される場合、出力信号の送信元の外部装置１０をコネクションの確立を利用して識別し切り替えることができる。
【００８４】
次に、処理部２２で行う信号処理の設定について、図５を用いて説明する。図５は、信号処理装置２０上の処理部２２で用いられる信号処理の設定例の対応関係を表形式で示す図である。
【００８５】
第１列は、外部装置１０の機種を表すもので、装置Ａ、装置Ｂ、装置Ｃ、装置Ｄ、装置Ｅを示している。各行は、各外部装置１０に対応する設定情報を表すもので、上段が各外部装置に対応する音声設定の設定情報を、下段が各機種に対する映像設定の設定情報を表している。
【００８６】
音声設定は、バス、トレブル、スペアナ、位相、遅延、マトリクス、およびサラウンドに対する設定を例示している。映像設定は、コントラスト、画質、色の濃さ、色相、および色彩に対する設定を例示している。表では各設定パラメータを整数で表示しているが、エフェクトの設定を規定するものであれば、これに限らない。
【００８７】
なお、図５では、音声信号に対する設定および映像信号に対する設定は、それぞれ独立して保存するものとして示した。
【００８８】
本実施形態では、処理部２２で付加するエフェクトのパラメータを設定するためのユーザインタフェースとして、外部装置１０に搭載される操作部１２を用いる例を示したが、これに限定されるものではない。信号処理装置２０に操作部１２を設ける構成であってもよい。
【００８９】
また、本実施形態では、信号処理システム１が外部装置１０、および信号処理装置２０から構成される例を示したが、これに限定されるものではない。液晶テレビなどの出力装置５０に、信号処理を行う信号処理装置２０が含まれる構成であってもよい。
【００９０】
あるいは、ＤＶＤプレイヤーなどの再生部１４を含む外部装置１０に、信号処理を行う処理部２２や設定部２４や記憶部３０などが含まれ、外部装置１０からの出力信号を受信し、信号処理を加え、出力装置５０に送信する構成であってもよい。
【００９１】
〔実施形態２〕
次に、本発明のさらに別の実施形態について図４に基づいて説明する。本実施形態の信号処理装置１０は、図１〜図３に示される信号処理装置１０に比べて、外部装置１０から受け取る出力信号の内容およびタイミングと、出力信号を受け取る信号処理装置２０の通信部２１の機能が一部異なる。
【００９２】
具体的には、外部装置１０および信号処理装置２０は、コネクションを用いないで接続される。外部装置１０は、識別信号を含む出力信号を出力し、通信部２１は入力された信号から外部装置１０を識別するための識別信号を分離し、識別部に送信する。その他の構成は同様である。なお、上記実施形態で説明した構成と同様の機能を有する構成には同一の符号を付して、その説明を省略する。図４は、本実施形態における信号処理システムの処理の流れを示したフロー図である。
【００９３】
Ｓ２０１において、まず、外部装置１０がＩＥＥＥ１３９４バス６０にバス接続される。Ｓ２０２において、信号処理装置２０は、外部装置の識別情報を取得する。
【００９４】
Ｓ２０３において、識別信号を含んだ出力信号が、外部装置１０の再生部１４から出力される。Ｓ２０４において、識別信号から送信元の外部装置を特定する。
【００９５】
Ｓ２０５において、設定部２４は、送信元として特定された外部装置１０に対応するの設定情報が記憶部３０に記録されているか調べる。記録されている場合（Ｓ２０５でＹＥＳ）、処理はＳ２０６に進む。記録されていない場合（Ｓ２０５でＮＯ）、処理はＳ２０７へ進む。
【００９６】
Ｓ２０６において、特定された外部装置１０に対応する設定情報が記憶部３０に記憶されている場合（Ｓ２０５でＹＥＳ）、設定情報を処理部２２に適用し、処理はＳ２０８に進む。
【００９７】
Ｓ２０７において、特定された外部装置１０に対応する識別情報および設定情報が存在しなかった場合（Ｓ２０５でＮＯ）、設定部２４は、所定のデフォルト設定を処理部２２に適用し、処理はＳ２０８に進む。
【００９８】
Ｓ２０８において、処理部２２は、適用した設定を用いて信号処理を行い、出力部４０へ信号を出力する。
【００９９】
Ｓ２０９において、外部装置１０の再生が停止し、信号出力の送信が終了する。
【０１００】
Ｓ２１０において、再生開始から再生終了の間に処理部２２の信号処理の設定を変更したか確認する。設定を変更した場合（Ｓ２１０でＹＥＳ）、処理はＳ２１１へ進む。設定を変更しなかった場合（Ｓ２１０でＮＯ）、処理はＳ２１２へ進む。
【０１０１】
Ｓ２１１において、書込部３４は、外部装置１０の識別情報と処理部２２の設定情報とを対応付けて、記憶部３０に記憶し、処理はＳ２１２へ進む。
【０１０２】
Ｓ２１２において、別の識別信号を含む出力信号が外部装置１０の再生部１４から出力されているか否かを判断し、出力されている場合（Ｓ２１２でＹＥＳ）、処理はＳ２０３に進み、上記の処理を繰り返す。
【０１０３】
別の識別信号を含む出力信号が外部装置１０の再生部１４から出力されていない場合（Ｓ２１２でＮＯ）は、信号処理を終了する。
【０１０４】
以上のように、出力信号に含まれる識別信号を用いることで、コネクションを用いない場合でも、送信元の外部装置を識別し設定を切り替えることができる。
【０１０５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１０６】
最後に、上記信号処理装置２０の各ブロック、特に処理部２２、設定部２４、識別部２６、読出部３２、および書込部３４は、ハードウェアロジックによって構成してもよいし、次のようにＣＰＵを用いてソフトウェアによって実現してもよい。
【０１０７】
すなわち、信号処理装置２０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである信号処理装置２０の制御プログラムのプログラムコード（実行形式プログラム、中間コードプログラム、ソースプログラム）をコンピュータで読取り可能に記録した記録媒体を、上記信号処理装置２０に供給し、そのコンピュータ（またはＣＰＵやＭＰＵ）が記録媒体に記録されているプログラムコードを読み出し実行することによっても、達成可能である。
【０１０８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１０９】
また、信号処理装置２０を通信ネットワークと接続可能に構成し、上記プログラムコードは通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１１０】
以上のように、外部装置を識別し、識別した外部装置の識別情報と信号処理の設定情報とを対応付けて記憶し、記憶した設定情報に基づいて外部装置に設定を適用することができるので、ＡＶシステムのアンプやレシーバなどとして好適に使用することができる。
【図面の簡単な説明】
【０１１１】
【図１】本発明の一実施形態を示すものであり、信号処理装置の要部構成を示すブロック図である。
【図２】上記信号処理装置を用いた信号処理システムの構成例を示す概略図である。
【図３】上記信号処理装置で用いられる信号処理の設定方法の流れを示すフロー図であり、外部装置および信号処理装置の間でコネクションを確立させる場合の処理手順を示す。
【図４】上記信号処理装置で用いられる信号処理の設定方法の流れを示すフロー図であり、外部装置および信号処理装置の間のコネクションを用いない場合の処理手順を示す。
【図５】上記信号処理装置で用いられる信号処理の設定例の対応関係を表形式で示す図である。
【符号の説明】
【０１１２】
１      信号処理システム
１０    外部装置
１２    操作部（操作手段）
１４    再生部
２０    信号処理装置
２１    通信部（通信手段）
２２    処理部（信号処理手段）
２３    制御部
２４    設定部（設定手段）
２５    操作部（操作手段）
２６    識別部（識別手段）
３０    記憶部（記憶手段）
３２    読出部（読出手段）
３４    書込部（書込手段）
４０    出力部
５０    出力装置
５２    ディスプレイ
５４    スピーカ
６０    ＩＥＥＥ１３９４バス
【図１】
2007104324.tif 000003
【図２】
2007104324.tif 000004
【図３】
2007104324.tif 000005
【図４】
2007104324.tif 000006
【図５】
2007104324.tif 000007